(57)【要約】  【課題】  ＳＣＭの在庫管理に関する評価指標を可視化するとともに、ＳＣＭ改善対策が必要な対象在庫品を選定することによって、シミュレーションにかかる時間を短縮する。  【解決手段】  発注案ＤＢ３０２は、各対象在庫品の各期間についての発注案を格納する。在庫予測ＤＢ３０４は、在庫予測データを格納する。発注システム推奨案による評価指標見通算出処理部７０は、これらのデータを参照して各対象在庫品の評価指標の見通値を算出する。選定支援処理部８０は、与えられた抽出条件を満足する対象在庫品を抽出してその発注案を表示する。選定支援処理部８０は、その発注案をシミュレートする複数の発注案について評価指標の見通値を算出して表示し、目標とする複数の評価指標を満足する発注案によって元の発注案を修正可能とする。【選択図】  図１
2007026335.tif 000002
【特許請求の範囲】
【請求項１】
各対象在庫品の各期間についての発注案を格納する記憶手段と、在庫予測データを格納する記憶手段とを参照して各対象在庫品の前記期間についての複数の評価指標の見通値を算出し、
各対象在庫品の前記期間についての前記見通値の過去の平均値に対する評価指標変化率を算出し、
前記評価指標変化率の抽出条件を満足する対象在庫品を抽出してその識別子と対応する発注案を表示し、
抽出された前記対象在庫品について前記発注案を前後に変動させたときの複数の発注案について前記評価指標の見通値を算出して表示し、
目標とする複数の評価指標を満足する発注案によって元の発注案を修正可能とすることを特徴とする評価指標見通し可視化方法。
【請求項２】
さらに各対象在庫品の各期間についての必要在庫量を格納する記憶手段を参照して各対象在庫品の前記必要在庫量の過去の平均値に対する前記期間についての必要在庫量の変化率を算出し、
前記必要在庫量変化率に対する前記評価指標変化率を算出し、前記評価指標変化率の代わりに前記必要在庫量変化率に対する評価指標変化率を用いることを特徴とする請求項１記載の評価指標見通し可視化方法。
【請求項３】
前記複数の評価指標は、即納率、在庫金額および在庫月数であることを特徴とする請求項１記載の評価指標見通し可視化方法。
【請求項４】
計算機に、
各対象在庫品の各期間についての発注案を格納する記憶手段と、在庫予測データを格納する記憶手段とを参照して各対象在庫品の前記期間についての複数の評価指標の見通値を算出する機能と、
各対象在庫品の前記期間についての前記見通値の過去の平均値に対する評価指標変化率を算出する機能と、
前記評価指標変化率の抽出条件を満足する対象在庫品を抽出してその識別子と対応する発注案を表示する機能と、
抽出された前記対象在庫品について前記発注案を前後に変動させたときの複数の発注案について前記評価指標の見通値を算出して表示する機能とを実現させるためのプログラムであって、
前記計算機に前記プログラムを実行させることによって、目標とする複数の評価指標を満足する発注案によって元の発注案を修正可能とすることを特徴とするプログラム。
【請求項５】
さらに前記計算機に、
各対象在庫品の各期間についての必要在庫量を格納する記憶手段を参照して各対象在庫品の前記必要在庫量の過去の平均値に対する前記期間についての必要在庫量の変化率を算出する機能と、
前記必要在庫量変化率に対する前記評価指標変化率を算出する機能とを実現させるためのプログラムであって、
前記評価指標変化率の代わりに前記必要在庫量変化率に対する評価指標変化率を用いることを特徴とする請求項４記載のプログラム。
【発明の詳細な説明】
【技術分野】
【０００１】
本発明は、受注から出荷に至るまでの企業活動であるＳＣＭ（サプライ・チェーン・マネジメント）に係わり、特にＳＣＭを効果的に実施するよう支援するために、評価指標の見通値を可視化し、ＳＣＭに関する条件の変更によって評価指標の変化を可視化する技術に関する。
【背景技術】
【０００２】
企業活動において、ますます激しくなる外部環境の変化に対応して企業全体の最適化という観点でＳＣＭ（サプライチェーンマネジメント）の迅速な改革は重要である。改革の手順として、企業は企業特性に応じて経営目標数値を定める。そして、現状のＳＣＭの把握・分析を実施するとともに、経営目標数値を達成するためにＳＣＭの改革施策を立案する。この改革施策を迅速に決めるためには、条件の変化に対する評価指標の変化を効率的に可視化することが必要となる。
【０００３】
なおこの種の技術として関連するものには、例えば特許文献１に記載された技術などがある。
【０００４】
【特許文献１】特開２０００−１２９６２５号公報
【発明の開示】
【発明が解決しようとする課題】
【０００５】
ＳＣＭの在庫管理などに関する評価指標の実績を集積することができる。しかし在庫管理などに関する評価指標の見通しが見えないため、ＳＣＭを効率化する施策が的確に判断できない、あるいはシミュレーションに時間がかかるのが実情であった。
【０００６】
このように従来の技術では、在庫管理に関する評価指標の見通しが立てられない。そのため、ＳＣＭへの施策を実施した結果、在庫管理に関する評価指標は目標値と比較してどのようになっているかの迅速な検証ができず、的確なＳＣＭ対策ができないという問題点を有していた。
【０００７】
本発明の目的は、在庫管理に関する評価指標を可視化するとともに、ＳＣＭ改善施策が必要な対象在庫品を選定することによってシミュレーションにかかる時間を短縮する技術を提供することにある。
【課題を解決するための手段】
【０００８】
本発明は、各対象在庫品の各期間についての発注案を格納する記憶手段と、在庫予測データを格納する記憶手段とを参照して各対象在庫品の特定の期間についての複数の評価指標の見通値を算出し、与えられた抽出条件を満足する対象在庫品を抽出してその発注案を表示し、その発注案をシミュレートする複数の発注案について評価指標の見通値を算出して表示し、目標とする複数の評価指標を満足する発注案によって元の発注案を修正可能とする評価指標見通し可視化技術を特徴とする。
【発明の効果】
【０００９】
本発明によれば、対象在庫品の発注案を変動させたときの評価指標の変化をすぐに可視化することができる。また本発明によれば、抽出条件によって対象在庫品を絞ることができ、シミュレーションにかかる時間を短縮することができる。
【発明を実施するための最良の形態】
【００１０】
以下、本発明の実施形態についてＳＣＭを例にとり、図面を用いて詳細に説明する。
【００１１】
図１は、本発明の一実施形態による評価指標見通し可視化システムの構成例を示すブロック図である。図１において、１０は入力装置、２０は表示装置、３０は処理装置、４０は記憶装置、５０は出力装置である。
【００１２】
６０は実績表示処理部、７０は発注システム推奨案による評価見通算出処理部、８０は発注案修正対象品の選定支援処理部、９０は発注人手修正案による評価指標見通算出処理部である。処理装置３０は、ＣＰＵおよびメモリを含む。処理部６０〜９０は、処理装置３０のメモリに格納され、そのＣＰＵによって実行されるプログラムである。
【００１３】
１００は需要実績システム、１１０は需要予測システム、１２０は発注システム、１３０は在庫システム、１４０は在庫予測システムである。システム１００〜１４０は、本システムに接続される外部システムである。本可視化システムは、これら外部システムから受け取ったデータを記憶装置４０のデータベース（ＤＢ）に格納する。
【００１４】
３００は需要実績データベース（ＤＢ）、３０１は需要予測ＤＢ、３０２は発注案ＤＢ、３０３は在庫実績ＤＢ、３０４は在庫予測ＤＢ、３０５は商品属性マスター、３０６は評価指標実績値ＤＢ、３０７は発注修正案ＤＢ、３０８は発注システム推奨案評価指標見通値ＤＢ、３０９は必要在庫量ＤＢ、３１０は必要在庫量変化率ＤＢ、３１１は評価指標変化率ＤＢ、３１２は必要在庫量変化率に対する評価指標変化率ＤＢ、３１３は抽出範囲パラメータテーブル、３１４は抽出範囲設定テーブル、３１５は発注案修正対象品目ＤＢ、３１６は発注人手修正案評価指標見通値ＤＢである。これらのＤＢやテーブルは、記憶装置４０に格納される。
【００１５】
図２は、処理装置３０に含まれる実績表示処理部６０、発注システム推奨案による評価見通算出処理部７０、発注案修正対象品の選定支援処理部８０、及び発注人手修正案による評価指標見通算出処理部９０と、記憶装置４０に収容される各テーブル、各ＤＢとの関連を説明する図である。
【００１６】
図２において、需要実績システム１００は、需要実績ＤＢ３００の登録及び更新を行うシステムである。需要予測システム１１０は、需要予測ＤＢ３０１の登録及び更新を行うシステムである。発注システム１２０は、発注案ＤＢ３０２の登録及び更新を行うシステムである。また発注システムは、発注修正案ＤＢ３０７に格納されたデータによって自身が保持するデータベースの登録及び更新を行う。在庫システム１３０は、在庫実績ＤＢ３０３の登録及び更新を行うシステムである。在庫予測システム１４０は、在庫予測ＤＢ３０４の登録及び更新を行うシステムである。
【００１７】
実績表示処理部６０は、需要実績ＤＢ３００、需要予測ＤＢ３０１および在庫実績ＤＢ３０３のデータを入力し、評価指標実績値と必要在庫量を算出し、それぞれ評価指標実績値ＤＢ３０６および必要在庫量ＤＢ３０９に格納する。
【００１８】
評価見通算出処理部７０は、在庫予測ＤＢ３０４および発注案ＤＢ３０２のデータを入力し、発注システム推奨案と評価指標見通値を算出し、それぞれ発注修正案ＤＢ３０７および発注システム推奨案評価指標見通値ＤＢ３０８に格納する。
【００１９】
発注案修正対象品の選定支援処理部８０は、必要在庫量ＤＢ３０９および評価指標実績値ＤＢ３０６のデータを入力し、抽出範囲パラメータテーブル３１３および抽出範囲設定テーブル３１４を参照して必要在庫量変化率および評価指標変化率を算出し、それぞれ必要在庫量変化率ＤＢ３１０および評価指標変化率ＤＢ３１１に格納する。次に発注案修正対象品の選定支援処理部８０は、必要在庫量変化率ＤＢ３１０と評価指標変化率ＤＢ３１１を入力し、必要在庫量変化率に対する評価指標変化率を算出し、必要在庫量変化率に対する評価指標変化率ＤＢ３１２に格納する。次に発注案修正対象品の選定支援処理部８０は、必要在庫量変化率に対する評価指標変化率ＤＢ３１２を入力し、抽出範囲パラメータテーブル３１３および抽出範囲設定テーブル３１４を参照して抽出範囲の条件に合う対象商品と対象月を決定し、表示装置２０に表示してユーザによる発注案の修正を促す。発注案が修正されると、発注案修正対象品の選定支援処理部８０は、そのデータを発注案修正対象品目ＤＢ３１５に格納する。
【００２０】
発注人手修正案による評価指標見通算出処理部９０は、発注修正案ＤＢ３０７、発注システム推奨案評価指標見通値ＤＢ３０８、発注案修正対象品目ＤＢ３１５を入力し、発注人手修正案と発注人手修正案による評価指標見通値を算出し、それぞれ発注修正案ＤＢ３０７および発注人手修正案評価指標見通値ＤＢ３１６に格納する。
【００２１】
図３は、需要実績ＤＢ３００のデータ構成例を示す図である。需要実績ＤＢ３００には、商品ごとに、商品を一意に識別する商品コード欄５０１、商品コードに対応するメーカー名欄５０２、商品コードに対応する商品の需要数量を表す数量欄５０３、商品コードに対応する商品の需要金額を表す金額欄５０４が設けられている。数量欄５０３、金額欄５０４は、１ヶ月単位で設けられ、１年（１２ヶ月）単位で区切られている。この数量欄５０３、金額欄５０４に格納されている値は、実績としての需要量を示すものであり、現在月の前月までの需要量が格納されている。需要実績ＤＢ３００には、以下の処理に必要な少なくとも１年間のデータが格納されているものとする（他のＤＢについても同様）。なお商品の代わりに製品を構成する部品でもよい（以下すべての「商品」について同様）。
【００２２】
図４は、需要予測ＤＢ３０１のデータ構成例を示す図である。需要予測ＤＢ３０１には、商品ごとに、商品コード欄５１１、商品コードに対応するメーカー名欄５１２、商品コードに対応する商品の需要予測数量を表す数量欄５１３、商品コードに対応する商品の需要予測金額を表す金額欄５１４が設けられている。数量欄５１３、金額欄５１４は、１ヶ月単位で設けられ、１年（１２ヶ月）単位で区切られている。この数量欄５１３、金額欄５１４に格納されている値は、需要予測量を示すものである。この需要予測量は、実績としての需要量を示す需要実績ＤＢ３００の需要量の変動傾向から推定されるものである。
【００２３】
図５は、発注案ＤＢ３０２のデータ構成例を示す図である。発注案ＤＢ３０２には、商品ごとに、商品コード欄５２１、商品コードに対応するメーカー名欄５２２、商品コードに対応する商品の発注数量を表す数量欄５２３、商品コードに対応する商品の発注金額を表す金額欄５２４が設けられている。数量欄５２３、金額欄５２４は、１ヶ月単位で設けられ、１年（１２ヶ月）単位で区切られている。この数量欄５２３、金額欄５２４に格納されている値は、発注案としての発注量を示すものである。この発注案ＤＢ３０２は、実績としての需要量を示す需要実績ＤＢ３００の需要量の変動傾向から推定されるものである。
【００２４】
図６は、在庫実績ＤＢ３０３のデータ構成例を示す図である。在庫実績ＤＢ３０３には、商品ごとに、商品コード欄５３１、商品コードに対応するメーカー名欄５３２、商品コードに対応する商品の在庫数量を表す数量欄５３３、商品コードに対応する商品の在庫金額を表す金額欄５３４が設けられている。数量欄５３３、金額欄５３４は、１ヶ月単位で設けられ、１年（１２ヶ月）単位で区切られている。この数量欄５３３、金額欄５３４に格納されている値は、実績としての月末在庫量を示すものであり、現在月の前月までの在庫量が格納されている。
【００２５】
図７は、在庫予測ＤＢ３０４のデータ構成例を示す図である。在庫予測ＤＢ３０４には、商品ごとに、商品コード欄５４１、商品コードに対応するメーカー名欄５４２、商品コードに対応する商品の在庫予測数量を表す数量欄５４３、商品コードに対応する商品の在庫予測金額を表す金額欄５４４が設けられている。数量欄５４３、金額欄５４４は、１ヶ月単位で設けられ、１年（１２ヶ月）単位で区切られている。この数量欄５４３、金額欄５４４に格納されている値は、各月末の在庫予測量を示すものである。この在庫予測量は、実績としての在庫量を示す在庫実績ＤＢ３０３の在庫量の変動傾向から推定されるものである。
【００２６】
図８は、商品属性マスター３０５のデータ構成例を示す図である。商品属性マスター３０５には、商品ごとに、商品コード欄５５１、商品コードに対応するメーカ名欄５５２、商品コードに対応する商品群欄５５３が設けられる。商品群は、その商品が属する商品グループの名称又は識別子である。
【００２７】
図９は、評価指標実績値ＤＢ３０６のデータ構成例およびデータ例を示す図である。評価指標実績値ＤＢ３０６には、商品ごとに、商品コード欄５６１、商品コードに対応するメーカー名欄５６２、商品コードに対応する商品の即納率を表すパーセント欄５６３、商品コードに対応する商品の在庫金額を表す金額欄５６４、商品コードに対応する商品の在庫月数を表す月数欄５６５、商品コードに対応する商品の在庫月商を表す金額欄５６６が設けられている。パーセント欄５６３、金額欄５６４、月数欄５６５、金額欄５６６は、１ヶ月単位で設けられ、１年（１２ヶ月）単位で区切られている。この評価指標実績値は、実績としての需要量を示す需要実績ＤＢ３００、実績としての在庫量を示す在庫実績ＤＢ３０３から計算される数値である。
【００２８】
なお、ここで例示している「即納率」、「在庫金額」、「在庫月数」、「在庫月商」は以下のような意味づけで定義される。
【００２９】
即納率：商品ごとの数量ベースの引当率を対象商品について平均した値を示す。
【００３０】
在庫金額：商品ごとの月平均在庫数に単価を掛けた値を対象商品について合算した値を示す。なお、１年間需要のない不動品を含む値である。
【００３１】
在庫月数：商品ごとの月平均在庫数を６ヶ月需要平均数で割った数量ベースの在庫月数を対象商品について平均した値を示す。なお、１年間需要のない不動品を除いた値である。
【００３２】
在庫月商：在庫金額合算を、商品ごとの６ヶ月需要平均数に単価を掛けた値の合算で割っ
た値を示す。なお、１年間需要のない不動品を含む値である。
【００３３】
不動品：過去１２ヶ月需要実績のない商品を示す。
【００３４】
図１０は、発注修正案ＤＢ３０７のデータ構成例を示す図である。発注修正案ＤＢ３０７には、商品ごとに、商品コード欄５７１、商品コードに対応するメーカー名欄５７２、商品コードに対応する商品の発注システム推奨案数量を表す数量欄５７３、商品コードに対応する商品の発注システム推奨案金額を表す金額欄５７４、商品コードに対応する商品の発注人手修正案数量を表す数量欄５７５、商品コードに対応する商品の発注人手修正案金額を表す金額欄５７５が設けられている。数量欄５７３、金額欄５７４、数量欄５７５、金額欄５７６は、１ヶ月単位で設けられ、１年（１２ヶ月）単位で区切られている。この発注修正案数値は、発注システム推奨案による評価指標見通処理部７０の処理の結果として抽出された数値、及び発注人手修正案による評価指標見通算出処理部８０の処理の結果として抽出された数値である。この発注修正案数値によって、発注システムが保持するデータベースが更新される。
【００３５】
図１１は、発注システム推奨案評価指標見通値ＤＢ３０８のデータ構成例を示す図である。発注システム推奨案評価指標見通値ＤＢ３０８には、商品ごとに、商品コード欄５８１、商品コードに対応するメーカー名欄５８２、商品コードに対応する商品の即納率を表すパーセント欄５８３、商品コードに対応する商品の在庫金額を表す金額欄５８４、商品コードに対応する商品の在庫月数を表す月数欄５８５、商品コードに対応する商品の在庫月商を表す金額欄５８６が設けられている。パーセント欄５８３、金額欄５８４、月数欄５８５、金額欄５８６は、１ヶ月単位で設けられ、１年（１２ヶ月）単位で区切られている。この発注システム推奨案評価指標見通値は、在庫予測量を示す在庫予測ＤＢ３０４と発注案としての発注量を示す発注案ＤＢ３０２から計算される数値である。
【００３６】
図１２は、必要在庫量ＤＢ３０９のデータ構成例を示す図である。必要在庫量ＤＢ３０９には、商品ごとに、商品コード欄５９１、商品コードに対応するメーカー名欄５９２、商品コードに対応する商品の適正在庫量を表す数量欄５９３が設けられている。数量欄５９３は、１ヶ月単位で設けられ、１年（１２ヶ月）単位で区切られている。この必要在庫量は、実績としての需要量を示す需要実績ＤＢ３００から計算される数値である。
【００３７】
図１３は、必要在庫量変化率ＤＢ３１０のデータ構成例を示す図である。必要在庫量変化率ＤＢ３１０には、商品ごとに、商品コード欄６０１、商品コードに対応するメーカー名欄６０２、商品コードに対応する必要在庫量変化率を表すパーセント欄６０３が設けられる。このパーセント欄６０３に格納される値は、実績として必要在庫量変化率を示すものである。この必要在庫量変化率は、過去および発注案対象月の必要在庫量から計算されるものである。
【００３８】
図１４は、評価指標変化率ＤＢ３１１のデータ構成例を示す図である。評価指標変化率ＤＢ３１１には、商品ごとに、商品コード欄６１１、商品コードに対応するメーカー名欄６１２、商品コードに対応する商品の即納率変化率を表すパーセント欄６１３、商品コードに対応する商品の在庫金額変化率を表すパーセント欄６１４、商品コードに対応する商品の在庫月数変化率を表すパーセント欄６１５が設けられている。この評価指標変化率は、過去および発注案対象月の評価指標から計算される数値である。
【００３９】
図１５は、必要在庫量変化率に対する評価指標変化率ＤＢ３１２のデータ構成例を示す図である。必要在庫量変化率に対する評価指標変化率ＤＢ３１２には、商品ごとに、商品コード欄６２１、商品コードに対応するメーカー名欄６２２、商品コードに対応する商品の即納率変化率を表すパーセント欄６２３、商品コードに対応する商品の在庫金額変化率を表すパーセント欄６２４、商品コードに対応する商品の在庫月数変化率を表すパーセント欄６２５が設けられている。この必要在庫量変化率に対する評価指標変化率は、必要在庫量変化率ＤＢ３１０および評価指標変化率ＤＢ３１１から計算される数値である。
【００４０】
図１６は、抽出範囲パラメータテーブル３１３のデータ構成例を示す図である。抽出範囲パラメータテーブル３１３には、「ａ」、「ｂ」、「ｃ」と定義されたパラメータ定義欄６３１、パラメータ数値欄６３２が設けられている。パラメータ数値欄６３２に格納された値は、パラメータ定義に対応する任意の数値であり、システムを運用しながら変更される値である。そしてこの値は、後述する抽出範囲設定テーブル３１４において、商品ごとの抽出範囲に利用される。
【００４１】
図１７は、抽出範囲設定テーブル３１４のデータ構成例を示す図である。抽出範囲設定テーブル３１４は、必要在庫量変化率に対する即納率変化率をＸとして、Ｘの値をパラメータａの任意の数値で範囲を設定したものと、必要在庫量変化率に対する在庫金額変化率をＹとして、Ｙの値をパラメータｂの任意の数値で範囲を設定したものと、必要在庫量変化率に対する在庫月数変化率をＺとして、Ｚの値をパラメータｃの任意の数値で範囲を設定したものであり、商品ごとに抽出範囲として「選択」か「選択しない＝×」かを決定するテーブルである。
【００４２】
例示する抽出範囲設定テーブル３１４は、「Ｘ＞ａ」の欄６４１、「Ｘ≦ａ」の欄６４２、「Ｙ＞ｂ」の欄６４３、「Ｙ≦ｂ」の欄６４４、「Ｚ＞ｃ」の欄６４５、「Ｚ≦ｃ」の欄６４６と分けられている。
【００４３】
図１８は、発注案修正対象品目ＤＢ３１５のデータ構成例を示す図である。発注案修正対象品目ＤＢ３１５には、商品ごとに、商品コード欄６５１、商品コードに対応するメーカー名欄６５２、商品コードに対応する商品の発注見通数量を表す数量欄６５３、商品コードに対応する商品の発注見通金額を表す金額欄６５４が設けられている。数量欄６５３、金額欄６５４は、１ヶ月単位で設けられ、１年（１２ヶ月）単位で区切られている。発注案修正対象品目ＤＢ３１５に格納される発注見通値は、発注修正案ＤＢ３０７より抽出される数値である。発注案修正対象品目ＤＢ３１５で修正の対象となる商品は、詳細を後述する発注案修正対象品の選定支援処理部８０の処理の結果として抽出されたものである。また、発注案修正の対象発注月は、数量欄６５３、金額欄６５４に太枠で示している。
【００４４】
発注案修正の対象となる商品および対象月がピックアップされると、システムは、元の発注案の前後に発注案を変動させて評価指標の変化をみるシミュレーションを行い、その結果を表示装置２０の画面に表示する。後述するように、ユーザは、目標評価指標を達成するように発注案を修正できる。
【００４５】
図１９は、発注人手修正案評価指標見通値ＤＢ３１６のデータ構成例を示す図である。発注人手案評価指標見通値ＤＢ３１６には、商品ごとに、商品コード欄６６１、商品コードに対応するメーカー名欄６６２、商品コードに対応する商品の即納率を表すパーセント欄６６３、商品コードに対応する商品の在庫金額を表す金額欄６６４、商品コードに対応する商品の在庫月数を表す月数欄６６５、商品コードに対応する商品の在庫月商を表す金額欄６６６が設けられている。パーセント欄６６３、金額欄６６４、月数欄６６５、金額欄６６６は、１ヶ月単位で設けられ、１年（１２ヶ月）単位で区切られている。この発注人手修正案評価指標見通値は、発注システム推奨案評価指標見通値ＤＢ３０８の見通値が人手によって修正された数値である。
【００４６】
図２０は、本発明の実施形態による発注人手修正案による評価指標見通算出の処理手順を示すフローチャートであり、次にこれについて説明する。なお、図２０の点線で囲んである部分が、それぞれ、実績表示処理部６０による処理、システム推奨案による評価指標見通算出処理部７０による処理、発注案修正対象品の選定支援処理部８０による処理、および発注人手修正案による評価指標見通算出処理部９０による処理を示している。また、発注案修正対象品の選定支援処理部８０による処理の詳細手順を説明するフローチャートを図２１で示す。
【００４７】
（１）まず、実績表示処理部６０は、需要実績ＤＢ３００、需要予測ＤＢ３０１、および在庫実績ＤＢ３０３を読み込む（ステップ４０１）。
【００４８】
需要実績ＤＢ３００の商品コード欄５０１、メーカー名欄５０２、数量欄５０３、金額欄５０４の各情報は、需要情報システム１００により情報の登録及び情報の変更が発生した場合に、情報の更新が行われている。また需要予測ＤＢ３０１の商品コード欄５１１、メーカー名欄５１２、数量欄５１３、金額欄５１４の各情報は、需要予測システム１１０により情報の登録及び情報の変更が発生した場合に、情報の更新が行われている。需要予測データは、ステップ４０４の計算で用いられる。また在庫実績ＤＢ３０３の商品コード欄５３１、メーカー名欄５３２、数量欄５３３、金額欄５３４の各情報は、在庫システム１３０により情報の登録及び情報の変更が発生した場合に、情報の更新が行われている。
【００４９】
（２）次に、実績表示処理部６０は、（１）で読み込んだデータを使い、評価指標実績値と必要在庫量を算出して表示する（ステップ４０２）。
【００５０】
評価指標実績値は、数１〜数４により求められる。
【００５１】
即納率実績＝各月毎の平均（ＡＶＥ）各商品毎
｛（需要実績−Ｂ／Ｏ（バックオーダー）実績）÷需要実績｝  （数１）
在庫金額実績＝各月毎のΣ各商品毎（各月末在庫量の月平均値×単価）      （数２）
在庫月数実績＝各月毎のＡＶＥ各商品毎
｛Σ（各月末在庫量の月平均値）÷６ヶ月需要平均｝          （数３）
在庫月商実績＝各月毎の｛Σ各商品毎（各月末在庫量の月平均値×単価）｝
÷Σ各商品毎（６ヶ月需要平均×単価）                    （数４）
必要在庫量は、数５により求められる。
【００５２】
必要在庫量＝過去１年間の月平均需要量×（リードタイム＋計画サイクル）
＋安全在庫係数×√（リードタイム＋計画サイクル）
×過去１年間の月単位需要標準偏差                        （数５）
なお、即納率実績の式に記載してあるＢ／Ｏ（バックオーダー）とは、注文した商品の在庫切れが発生した場合を示す。Ｂ／Ｏ実績、単価などのデータは、図示しないデータベースに格納されている。
【００５３】
なお、安全在庫係数は「需要は正規分布に従うこと」を前提に次の表１により求められる。
【００５４】
【表１】
2007026335.tif 000003
【００５５】
また、リードタイム、計画サイクルは、商品により異なる任意の数値である。
【００５６】
実績表示処理部６０は、算出された評価指標実績値および必要在庫量値によって、それぞれ評価指標実績値ＤＢ３０６および必要在庫量ＤＢ３０９を更新する。
【００５７】
なお図２０の処理手順は、各商品を単位として計算および処理をしているが、商品属性マスター３０５を参照し、メーカごと又は商品群ごとに処理を行ってもよい。
【００５８】
（３）次に、発注システム推奨案による評価指標見通算出処理部７０は、ステップ４０２で算出された評価指標実績値（即納率実績、在庫金額実績、在庫月数実績、在庫月商実績）、在庫予測ＤＢ３０４および発注案ＤＢ３０２を読み込み（ステップ４０３）、発注システム推奨案と評価指標（即納率、在庫金額、在庫月数、在庫月商）見通値を算出する（ステップ４０４）。発注システム推奨案、評価指標見通値は月別に算出される。
【００５９】
発注案ＤＢ３０２の商品コード欄５２１、メーカー名欄５２２、数量欄５２３、金額欄５２４の各情報は、発注システム１２０により情報の登録及び情報の変更が発生した場合に、情報の更新が行われている。在庫予測ＤＢ３０４の商品コード欄５４１、メーカー名欄５４２、数量欄５４３、金額欄５４４の各情報は、在庫予測システム１４０により情報の登録及び情報の変更が発生した場合に、情報の更新が行われている。
【００６０】
発注システム推奨案は、数６〜数８により求められる。
【００６１】
月別需要予測値＝各月毎のΣ各商品毎（需要予測値）                      （数６）
月別入荷数量＝各月毎のΣ各商品毎（数量案）                            （数７）
月別入荷金額＝各月毎のΣ各商品毎（数量案×単価）                      （数８）
評価指標見通値は、数９〜数１２により求められる。
【００６２】
月別即納率見通
＝各月毎のＡＶＥ各商品毎（発注時に算出した即納率見込値）            （数９）
月別在庫金額見通
＝各月毎の｛Σ各商品毎（発注時に算出した在庫金額見込値）
＋Σ（不動品最新月末在庫×単価）｝                              （数１０）
月別在庫月数見通
＝各月毎のＡＶＥ各商品毎（発注時に算出した在庫月数見込値）        （数１１）
月別在庫月商見通
＝各月毎の［｛Σ各商品毎（発注時に算出した在庫金額見込値）｝
＋Σ（不動品最新月末在庫×単価）］÷Σ各商品毎（６ヶ月受注平均×単価）                                                                            （数１２）
発注システム推奨案による評価指標見通算出処理部７０は、メモリ上に作成された発注システム推奨案を発注修正案ＤＢ３０７の数量欄５７３、金額欄５７４に格納し、評価指標見通値を発注システム推奨案評価指標見通値ＤＢ３０８に格納する（ステップ４０５）。
【００６３】
（４）次に、発注案修正対象品の選定支援処理部８０について説明する。ここでは、必要在庫量変化率と評価指標変化率を考慮して、発注案修正対象商品を選定する（ステップ４０６）。なお発注案修正対象品の選定支援処理部８０の詳細のフローは、図２１により説明する。
【００６４】
（５）次に、発注人手修正案による評価指標見通算出処理部９０は、発注修正案ＤＢ３０７とステップ４０６で算出された発注人手修正案を発注案修正対象品目ＤＢ３１５から読み込み（ステップ４０７）、発注システム推奨案の評価指標見通値を発注システム推奨案評価指標見通値ＤＢ３０８から読み込み、発注人手修正案による評価指標見通値を算出する（ステップ４０８）。
【００６５】
発注人手修正案による評価指標見通値は、数１３〜数１６により求められる。
【００６６】
月別即納率修正値＝各月毎のＡＶＥ各商品毎
｛即納係数ｋ（パラメタ値）登録時に設定したシミュレーション上の平均見込即納率｝
×［１−（発注システム推奨案−発注人手修正案）
÷｛発注月需要予測値×（手番＋１）×（１＋安全在庫係数）｝］      （数１３）
月別在庫金額修正値＝（月別在庫月数修正値×６ヶ月需要平均×単価）
＋Σ（不動品最新月末在庫×単価）｝              （数１４）
月別在庫月数修正値＝各月毎のＡＶＥ各商品毎
｛即納係数ｋ（パラメタ値）登録時に設定したシミュレーション上の平均見込在庫月数｝
×［｛（発注システム推奨案−発注人手修正案）÷月実際納入回数｝÷６ヶ月需要平均］
（数１５）
月別在庫月商修正値＝［（Σ各商品毎月別在庫金額修正値）
＋Σ（不動品最新月末在庫×単価）］÷Σ各商品毎（６ヶ月需要平均×単価）                                                                            （数１６）
見通し値は月別に算出される。
【００６７】
発注人手修正案による評価指標見通算出処理部９０は、メモリ上に作成された発注人手修正案による評価指標見通値を発注人手修正案評価指標見通値ＤＢ３１６に格納する（ステップ４０９）。また発注人手修正案による評価指標見通算出処理部９０は、入力された発注システム推奨案を修正された発注案データにより更新し、発注修正案ＤＢ３０７の発注人手修正案を格納する。
【００６８】
（６）次に、システムは、需要実績ＤＢ３００および在庫実績ＤＢ３０３に未処理のデータがあるか否か判定する（ステップ４１０）。すべてのデータが処理済であれば処理を終了する。未処理のデータがあれば、ステップ４０１に戻り、上記処理を繰り返す。
【００６９】
図２１は、発注案修正対象品の選定支援処理部８０の処理手順を示すフローチャートであり、次にこれについて説明する。なお、図２１の実線で囲んである部分が、発注案修正対象品の選定支援処理部８０による処理を示している。
（１）発注案修正対象品の選定支援処理部８０は、商品毎の月別発注金額（実績）による抽出条件を設定し、それに該当する商品を抽出する（ステップ５０１）。例を挙げると
「月発注金額＞１，０００，０００円（この部分は任意の数値）の商品コードを抽出する」
などである。金額規模が大きい場合ほど、評価指標への影響が大きいため、最初に金額により範囲を設定する。
【００７０】
（２）次に、発注案修正対象品の選定支援処理部８０は、抽出された商品コードについてステップ４０２で算出された必要在庫量を格納してある必要在庫量ＤＢ３０９を読み込み、商品ごとに発注案対象月より過去１年間（＝１２ヶ月）を対象に必要在庫量変化率を計算する（ステップ５０２）。必要在庫量変化率の計算式は下記の通りである。
【００７１】
必要在庫量変化率
＝（発注案対象月より過去1年間の月平均必要在庫量／発注案対象月の必要在庫量）
×１００                                                              （数１７）
発注案修正対象品の選定支援処理部８０は、算出された必要在庫量変化率を必要在庫量変化率ＤＢ３１０に格納する。
【００７２】
（３）次に、発注案修正対象品の選定支援処理部８０は、抽出された商品コードについて評価指標実績値ＤＢ３０６のデータを読み込み、発注案対象月より過去１年間（＝１２ヶ月）を対象に在庫管理における評価指標（即納率、在庫金額、在庫月数）の変化率を計算する（ステップ５０３）。評価指標（即納率、在庫金額、在庫月数）の変化率の計算式は下記の通りである。
【００７３】
即納率変化率
＝（発注案対象月より過去1年間の月平均即納率／発注案対象月の即納率）×１００                                                                          （数１８）
在庫金額変化率
＝（発注案対象月より過去1年間の月平均在庫金額／発注案対象月の在庫金額）
×１００                                                              （数１９）
在庫月数変化率
＝（発注案対象月より過去1年間の月平均在庫月数／発注案対象月の在庫月数）
×１００                                                              （数２０）
発注案修正対象品の選定支援処理部８０は、算出された評価指標変化率を評価指標変化率ＤＢ３１１に格納する。
【００７４】
（４）次に、発注案修正対象品の選定支援処理部８０は、必要在庫量変化率ＤＢ３１０と評価指標変化率ＤＢ３１１それぞれのデータを読み込み、抽出された商品ごとの必要在庫量変化率に対する在庫管理における評価指標（即納率、在庫金額、在庫月数）の変化率を計算する（ステップ５０４）。商品毎の必要在庫量変化率に対する評価指標の変化率は下記の通りである。
【００７５】
必要在庫量変化率に対する即納率変化率＝即納率変化率／必要在庫量変化率（数２１）
必要在庫量変化率に対する在庫金額変化率＝在庫金額変化率／必要在庫量変化率                                                                            （数２２）
必要在庫量変化率に対する在庫月数変化率＝在庫月数変化率／必要在庫量変化率                                                                            （数２３）
発注案修正対象品の選定支援処理部８０は、算出された前述の必要在庫量変化率に対する評価指標変化率を必要在庫量変化率に対する評価指標変化率ＤＢ３１２に格納する。
【００７６】
（５）次に、発注案修正対象品の選定支援処理部８０は、必要在庫量変化率に対する評価指標変化率ＤＢ３１２を読み込み、抽出範囲設定テーブル３１４を参照して必要在庫量の変化率に対して評価指標の変化率が高い商品を選定する。範囲設定の方法例は下記の通りである。
【００７７】
ｉ．必要在庫量変化率に対する即納率変化率＞ａ
ii．必要在庫量変化率に対する在庫金額変化率＞ｂ
iii．必要在庫量変化率に対する在庫月数変化率＞ｃ
（ａ、ｂ、ｃはいずれも任意の数値）
さらに、発注案修正対象品の選定支援処理部８０は、この３つの範囲設定方法を表示装置２０に表示し、下記の３つの条件の中から１つをユーザに選択させる（ステップ５０５）。
【００７８】
ｉ．必要在庫量変化率に対する即納率変化率＞ａ、
必要在庫量変化率に対する在庫金額変化率＞ｂ、
必要在庫量変化率に対する在庫月数変化率＞ｃ
以上３つの範囲設定を満たす条件
ii．必要在庫量変化率に対する即納率変化率＞ａ、
必要在庫量変化率に対する在庫金額変化率＞ｂ、
必要在庫量変化率に対する在庫月数変化率＞ｃ
以上の中から２つの範囲設定を満たす条件
iii．必要在庫量変化率に対する即納率変化率＞ａ、
必要在庫量変化率に対する在庫金額変化率＞ｂ、
必要在庫量変化率に対する在庫月数変化率＞ｃ
以上の中から１つの範囲設定を満たす条件
発注案修正対象品の選定支援処理部８０は、選択された条件の下に対象商品と対象月を決定する（ステップ５０６）。発注案修正対象品の選定支援処理部８０は、決定されたデータを発注案修正対象品目ＤＢ３１５に格納し、表示装置２０に表示する。
【００７９】
（６）次に、発注案修正対象品の選定支援処理部８０は、入力装置１０を介するユーザによる対象発注品の発注案のデータ入力を受け付ける（ステップ５０７）。発注案修正対象品の選定支援処理部８０は、修正データによって発注案修正対象品目ＤＢ３１５を更新する。なおステップ５０７の詳細は、図２２に基づいて後述する。
【００８０】
図２２は、抽出された発注案修正対象商品を対象に、ユーザによる発注案修正を支援するために、発注案修正対象品の選定支援処理部８０が実行するシミュレーションの結果表示を示す図である。図で評価指標として与えられる目標即納率、目標在庫金額および目標在庫月数は、ユーザが入力装置１０を介して入力した数値データである。発注案修正対象品の選定支援処理部８０は、数９〜数１１を用いて発注数量が１００，２００，…５００個の場合の即納率見通、在庫金額見通および在庫月数見通を各々算出し、表示装置２０上にシミュレーション結果を示すグラフとしてプロットする。この例では、発注システム推奨案の３００個の前後に１００個きざみで発注案を変動させている。なお、図２２において、●を示す図は、発注案に対して目標評価指標を達成していることを示すポイントであり、×を示す図は、発注案に対して目標評価指標を達成していないことを示すポイントである。
【００８１】
図２２は、修正対象商品の８月の発注数量案を示している。発注システム推奨案は３００個を示している。しかし、発注システム推奨案が３００個なら、目標即納率は達成しているが、目標在庫金額および目標在庫月数は達成してない。そこで、目標即納率、目標在庫金額、目標在庫月数をすべて達成するための発注案は、２００個の時に達成することがわかる。この結果、目標評価指標をすべて超えている２００個を人手修正発注案として採用するのがよい。この人手によりデータ修正された発注案は発注修正案ＤＢ３０７に格納される。
【００８２】
処理部６０〜９０は、処理プログラムとして構成することができ、この処理プログラムは、ＨＤ、ＤＡＴ、ＦＤ、ＵＳＢメモリ、ＭＯ、ＤＶＤ−ＲＡＭ、ＣＤ−ＲＯＭ等の記録媒体に格納して提供することができる。
【産業上の利用可能性】
【００８３】
本発明は、流通業、製造業等の広い範囲の業種で利用することが可能である。
【図面の簡単な説明】
【００８４】
【図１】実施例の評価指標見通し可視化システムの構成図である。
【図２】実施例の各処理部と各テーブル、各ＤＢとの関連を説明する図である。
【図３】需要実績ＤＢのデータ構成例を示す図である。
【図４】需要予測ＤＢのデータ構成例を示す図である。
【図５】発注案ＤＢのデータ構成例を示す図である。
【図６】在庫実績ＤＢのデータ構成例を示す図である。
【図７】在庫予測ＤＢのデータ構成例を示す図である。
【図８】商品属性マスターのデータ構成例を示す図である。
【図９】評価指標実績値ＤＢのデータ構成例を示す図である。
【図１０】発注修正案ＤＢのデータ構成例を示す図である。
【図１１】発注システム推奨案評価指標見通値ＤＢのデータ構成例を示す図である。
【図１２】必要在庫量ＤＢのデータ構成例を示す図である。
【図１３】必要在庫量変化率ＤＢのデータ構成例を示す図である。
【図１４】評価指標変化率ＤＢのデータ構成例を示す図である。
【図１５】必要在庫量変化率に対する評価指標変化率ＤＢのデータ構成例を示す図である。
【図１６】抽出範囲パラメータテーブルのデータ構成例を示す図である。
【図１７】抽出範囲設定テーブルのデータ構成例を示す図である。
【図１８】発注案修正対象品目ＤＢのデータ構成例を示す図である。
【図１９】発注人手修正案評価指標見通値ＤＢのデータ構成例を示す図である。
【図２０】実施例の発注人手修正案による評価指標見通算出の処理手順を示すフローチャートである。
【図２１】発注案修正対象品の選定支援処理部による処理の詳細手順を示すフローチャートである。
【図２２】修正対象商品の発注数量と評価指標との関連を示す図である。
【符号の説明】
【００８５】
７０：発注システム推奨案による評価指標見通算出処理部、  ８０：発注案修正対象品の選定支援処理部、  ９０：発注人手修正案による評価指標見通算出処理部、  ３０２：発注案ＤＢ、  ３０４：在庫予測ＤＢ、  ３１４：抽出範囲設定テーブル、  ３１５：発注案修正対象品目ＤＢ、  ３１６：発注人手修正案評価指標見通ＤＢ
【図１】
2007026335.tif 000004
【図２】
2007026335.tif 000005
【図３】
2007026335.tif 000006
【図４】
2007026335.tif 000007
【図５】
2007026335.tif 000008
【図６】
2007026335.tif 000009
【図７】
2007026335.tif 000010
【図８】
2007026335.tif 000011
【図９】
2007026335.tif 000012
【図１０】
2007026335.tif 000013
【図１１】
2007026335.tif 000014
【図１２】
2007026335.tif 000015
【図１３】
2007026335.tif 000016
【図１４】
2007026335.tif 000017
【図１５】
2007026335.tif 000018
【図１６】
2007026335.tif 000019
【図１７】
2007026335.tif 000020
【図１８】
2007026335.tif 000021
【図１９】
2007026335.tif 000022
【図２０】
2007026335.tif 000023
【図２１】
2007026335.tif 000024
【図２２】
2007026335.tif 000025